【事件の表示】
　特願２００９−５３０３３２「破裂可能なブリスター包装」拒絶査定不服審判事件〔平成２０年　４月　３日国際公開、ＷＯ２００８／０３９２４８、平成２２年　２月１８日国内公表、特表２０１０−５０４８９２〕について、次のとおり審決する。
【結　論】
　本件審判の請求は、成り立たない。
【理　由】
第１．手続の経緯
　本件出願は、平成１９年５月３日（パリ条約による優先権主張日平成１８年９月２６日、米国）の国際出願であって、平成２３年１０月１９日付けで拒絶理由が通知され、平成２４年３月１４日に手続補正がなされ、同年９月２７日付けで拒絶理由が通知され、平成２５年６月２８日付けで拒絶をすべき旨の査定がされた。
　これに対し、平成２５年１０月３１日に本件審判の請求と同時に手続補正がなされ、平成２６年８月２７日付けで拒絶理由が通知され、同年１１月２０日に手続補正がなされたものである。
　
第２．本願発明について
１．本願発明
　本件出願の請求項１〜８に係る発明は、平成２６年１１月２０日に補正された明細書、特許請求の範囲及び図面の記載からみて、特許請求の範囲の請求項１〜８に記載された事項により特定されるとおりのものであると認められるところ、請求項１に係る発明（以下、「本願発明」という。）は、次のとおりである。
　
「消費性製品用ブリスター包装体であって、共通の平面に間をあけて配置されるとともに開口している開口部を有する複数のブリスター収納区画を有するブリスタートレイと、
　前記ブリスター収納区画のそれぞれに、それぞれ収納される複数の消費性製品と、
　前記ブリスタートレイの前記平面を覆い、前記ブリスター収納区画の前記開口部を閉じる弾性のブリスターシートであって、破裂可能箇所のパターンを有し、前記破裂可能箇所の少なくとも一部が前記ブリスター収納区画の前記開口部と重なる位置にあり、該重なる位置で前記ブリスターシートを破裂させることにより前記位置から前記消費性製品を取り出すことができる弾性のブリスターシートと、を備え、
　前記ブリスター収納区画は、前記消費性製品に前記ブリスターシートを破裂させ、通過させる動きを引き起こすように、圧縮可能、かつ変形可能であり、
　前記ブリスターシートは、前記平面を覆うとともに、前記ブリスター収納区画の開口部に隣接して該開口部を閉じる単層のプラスチックフィルムで形成され、
　前記破裂可能箇所は、前記平面を覆う前記ブリスターシートの厚さ方向に延びるとともに、前記ブリスターシートを部分的に抉り、複数の抉られた部分が互いに間隔を空けて連続的に配列されることで形成され、
　前記破裂可能箇所は、複数の平行な線に沿って形成されるパターンにより構成されるとともに、該複数の平行な線が前記ブリスター収納区画内を通過するように規則的に設けられている消費性製品用ブリスター包装体。」
　
２．刊行物記載の発明
　当審による平成２６年８月２７日付け拒絶理由通知書に引用され、本件の出願前に頒布された刊行物である国際公開第２００６／０４８６８７号（以下、「刊行物１」という。）には、以下の事項が記載されている。（『』内は、当審による仮訳文である。）
（ア）（１頁１行−１３行）
「BLISTER PACKS
The present invention relates to blister packs and, in particular, to a label for a blister pack. More particularly, it relates to a label which makes it more difficult for a child to release a medicament from the blister pack without making it unduly difficult for the elderly or infirm to remove the medicament.
Conventional blister cards or packs typically include a plastics sheet material moulded to provide a tray comprising a plurality of recesses into each of which recesses is placed a medicament, typically in tablet or capsule form. The medicaments are held in place by means of a foil retaining sheet. When the patient wishes to use the medicament, they push the tablet or capsule through the foil retaining sheet. For ease of release, the foil retaining sheet is usually rather thin and easily ruptured. 」
『ブリスターパック
本発明は、ブリスターパックに関し、特に、ブリスターパック用ラベルに関する。さらに具体的には、高齢者や虚弱者が薬物を除去することを不当に困難にすることなく、子供がブリスターパックから薬剤を放出することをより困難にするラベルに関する。
　通常、従来のブリスターカードまたはブリスターパックは、典型的には錠剤またはカプセル形状である薬剤が各凹部の中に置かれている、複数の凹部から成るトレイを提供するために成形されたプラスチックシート材料を含む。薬剤は箔保持シートによって適切な位置で支えられる。患者が薬剤を使用したい場合、彼らは、箔保持シートを介して錠剤またはカプセルを押す。放出を容易にするために、箔保持シートは、通常はかなり薄く、簡単に破断する。』
（イ）（４頁９行−２２行） 
「In a fourth aspect the present invention provides a medicament blister pack comprising a medicament tray having an upper surface to which is bonded a medicament retaining sheet as described above.
Preferably, the medicament tray comprises a moulded plastics tray having a plurality of individual medicament-receiving cavities. Suitably, the tray is formed by vacuum moulding.
Suitably, the lines of weakness are defined by a plurality of parallel lines of point of weakness, optionally further including a second plurality of parallel lines transecting the first lines.
Preferably, the lines of weakness are spaced such that each medicament-receiving cavity is overlaid by more than one line of weakness.」
『第４態様において、本発明は、前記保持シートに接合された上面を有する薬剤トレイから成る薬剤ブリスターパックを提供する。
　好ましくは、薬剤トレイは、複数の薬剤保持キャビティを有する成形プラスチックトレイで構成される。好適には、トレイは真空成形によって形成される。
　好適には、脆弱線は、脆弱点の複数の平行線によって定義され、さらに選択的には、第１の平行線を横断する第２の複数の平行線を含む。
　好ましくは、脆弱線は、各薬剤保持キャビティが２本以上の脆弱線によって覆われるように間隔を空けて配置される。』
（ウ）（７頁１９行−３０行）
「An alternative medicament retaining sheet 13 is illustrated in Figure 4in which a single medicament retaining layer 22 is used which further comprises points of weakness 23, 24 in either an upper or lower surface of the sheet, respectively (Figures 4a and 4b).
As above, the medicament retaining sheet 13 is adhered to the tray 21 by adhesive 20 contacting the sheet material 22. The adhesive 20 may be applied to the retaining sheet 13 or directly to the tray 21, for example by roller-coating. However other means of bonding may be suitable, for example, corona discharge, depending upon the nature of the materials constituting the medicament retaining sheet 13. The medicament retaining sheet 13 can be applied to the tray 21 during the manufacturing process. 」
『代替の薬剤保持シート13は、図４に示され、その中において単一の薬剤保持層22が使用され、それはさらに、シートの上面または下面にそれぞれ存在する脆弱点23、24を含む（図４ａ、図４ｂ）。
　前記の通り、薬剤保持シート13は、シート材22に接触する接着剤20によってトレイ21に接着される。接着剤20は、例えばローラーコーティングによって、保持シート13に塗布してもよく、あるいは直接トレイ21に塗布してもよい。しかしながら、薬剤保持シート13を構成する材料の性質に応じて、コロナ放電などの他の接着手段が適切である場合がある。薬剤保持シート13は、製作プロセス中にトレイ21に適用できる。』
（エ）（８頁１行−１４行）
「Figure 5 shows, in views (a) to (e), a number of exemplary designs of points of weakness 11 formed in labels 9 and medicament retaining sheets 13 of the present invention. The points take the form of simple regions of slits, as exemplified in Figures 5a  5b in which lines of slits transverse the sheet horizontally and diagonally, respectively. Alternatively, the points comprise combinations of intersecting perpendicular lines of slits which transverse the sheet longitudinally and latitudinally, as illustrated in Figure 5c. In further alternative embodiments the intersecting lines will be arranged diagonally (not shown), as would be recognised by the skilled person. The points of weakness will also take the form of repeating patterns such as the crosses illustrated in Figure 5d. It is also recognised that the lines of slits can be formed from uniformly sized slits as illustrated in Figures 5a to d, but may also be formed from slits of different lengths as exemplified in Figure 5e in which lines comprising slits of a particular length perpendicularly intersect lines of slits of a different length.」
『図５は、(a)〜(e)に、本発明のラベル9および薬剤保持シート13に形成された脆弱点11の複数の例示的な設計を示す。図５ａおよび図５ｂに例示するように、前記脆弱点はスリットの単純な領域の形をとり、図中においてスリットの線はそれぞれ水平および斜めに前記シートを横断する。あるいは、図５ｃに示すように、前記脆弱点は、縦横にシートを横断するスリットの垂線と交差する組み合わせを含む。さらに代替の実施形態では、当業者によって認識されるように、交差する線は斜めに配置される（図示せず）。脆弱点はまた、図５ｄに示されている十字などの繰り返しパターンの形態をとる。また、スリットの線は、図５ａ〜ｄに示されるように均一なサイズのスリットから形成可能であることが認識されているが、特定の長さのスリットを備えた線が異なる長さのスリットの線に垂直に交差している図５ｅに例示されるように、異なる長さのスリットから形成してもよい。』
（オ）（８頁１４行−２６行）
「Other arrangements will be immediately apparent to the skilled person. As shown, the distribution of points of weakness may be uniform and regular. In alternative embodiments, the distribution may be irregular or random.
In preferred embodiments, the lines of weakness are spaced such that each medicament retaining cavity is overlaid by more than one line of weakness.
In use, the patient applies a force to the underside of the blister pack adjacent a recess 17. The force applied allows the label 9 or medicament retaining sheet 13 to fracture about the points of weakness 11, 23, 24 and allows, in a conventional manner, the tablet 18 to perforate the foil (not shown) or medicament retaining sheet, in accordance with the present invention, of the blister pack (not shown), so releasing the tablet 18.」
『他の配列は、当業者にとって直ちに明らかであろう。図示のように、脆弱点の分布は均一で規則的であってもよい。代替の実施態様では、分布は不規則またはランダムであってもよい。
　好ましい実施態様では、脆弱線は、各薬剤保持キャビティが２本以上の脆弱線によって覆われるように間隔を空けて配置される。
　使用時には、患者は、凹部17に隣接するブリスターパックの下側に力を加える。力が加えられると、ラベル9または薬剤保持シート13が脆弱点11、23、24のあたりを破断することが可能になり、従来の方法で、錠剤18が本発明のブリスターパック（図示せず）の箔（図示せず）または薬剤保持シートに孔をあけ、それにより錠剤18を放出することができる。』
（カ）図４、図５（ａ）より、
薬剤トレイが、共通の平面に間をあけて配置される開口部を有する複数の薬剤保持キャビティを有し、薬剤保持キャビティのそれぞれに、複数の錠剤がそれぞれ収納され、薬剤保持シート13が、薬剤保持キャビティの開口部に隣接して該開口部を閉じること、脆弱点23が、薬剤保持シート13の厚さ方向に延びるとともに、薬剤保持シート13を部分的に抉り、形成され、脆弱点の少なくとも一部が薬剤保持キャビティの開口部と重なる位置にあることが、看てとれる。
　　
　刊行物１の摘示（イ）には、保持シートに薬剤トレイの上面が接合され薬剤ブリスターパックが構成され、薬剤トレイは、複数の薬剤保持キャビティを有する成形プラスチックトレイで構成され、脆弱線は、脆弱点の複数の平行線によって定義され、各薬剤保持キャビティが２本以上の脆弱線によって覆われるように間隔を空けて配置されることが記載されている。
　摘示（ウ）には、薬剤保持シート13は、単一の薬剤保持層22が使用され、脆弱点23、24を含み、シート材22に接触する接着剤20によってトレイ21に接着されることが記載されている。
　また、摘示（エ）には、脆弱点はスリットの単純な領域の形をとり、スリットの線はそれぞれシートを横断することが記載されており、さらに、摘示（オ）には、脆弱点の分布は均一で規則的であってもよく、脆弱線は、各薬剤保持キャビティが２本以上の脆弱線によって覆われるように間隔を空けて配置され、凹部17に隣接するブリスターパックの下側に力が加えられると脆弱点23、24のあたりを破断し、錠剤18を放出できることが記載されている。
　以上によれば、刊行物１には、以下の発明が記載されている。（以下、この発明を「刊行物発明」という。）
「保持シートに薬剤トレイの上面が接合され薬剤ブリスターパックが構成され、薬剤トレイは、共通の平面に間をあけて配置される開口部を有する複数の薬剤保持キャビティを有する成形プラスチックトレイで構成され、
　薬剤保持キャビティのそれぞれに、複数の錠剤18がそれぞれ収納され、
　薬剤保持シート13は、薬剤保持キャビティの開口部に隣接して該開口部を閉じ、脆弱点23、24を含み、脆弱点はスリットの単純な領域の形をとり、スリットの線はそれぞれシートを横断し、脆弱点の少なくとも一部が薬剤保持キャビティの開口部と重なる位置にあり、
　凹部17に隣接するブリスターパックの下側に力が加えられると脆弱点23、24のあたりを破断し、錠剤18を放出することができ、
　薬剤保持シート13は、シート材22に接触する接着剤20によってトレイ21に接着され、単一の薬剤保持層22が使用され、
　脆弱点が、薬剤保持シート13の厚さ方向に延びるとともに、薬剤保持シート13を部分的に抉り、形成され、
　脆弱線は、脆弱点の複数の平行線によって定義され、各薬剤保持キャビティが２本以上の脆弱線によって覆われるように間隔を空けて配置され、脆弱点の分布は均一で規則的である、薬剤ブリスターパック。」
　
３．対比
　本願発明と刊行物発明とを対比する。
　刊行物発明の「薬剤ブリスターパック」は、「保持シートに薬剤トレイの上面が接合され薬剤ブリスターパックが構成され」るから、本願発明の「消費性製品用ブリスター包装体」に相当する。
　刊行物発明の「共通の平面に間をあけて配置される開口部を有する複数の薬剤保持キャビティを有する成形プラスチックトレイで構成され」る「薬剤トレイ」は、本願発明の「共通の平面に間をあけて配置されるとともに開口している開口部を有する複数のブリスター収納区画を有するブリスタートレイ」に相当する。
　刊行物発明の「薬剤保持キャビティのそれぞれに、複数の錠剤18がそれぞれ収納され」ることは、本願発明の「前記ブリスター収納区画のそれぞれに、それぞれ収納される複数の消費性製品」に相当する。
　次に、刊行物発明の「薬剤保持シート13」に係る発明特定事項と、本願発明の「ブリスターシート」に係る発明特定事項とを比較する。
　刊行物発明の「薬剤保持キャビティの開口部に隣接して該開口部を閉じ」「脆弱点23、24を含み、脆弱点はスリットの単純な領域の形をとり、スリットの線はそれぞれシートを横断し、脆弱点の少なくとも一部が薬剤保持キャビティの開口部と重なる位置にあり」は、本願発明の「前記ブリスタートレイの前記平面を覆い、前記ブリスター収納区画の前記開口部を閉じる」「ブリスターシートであって、破裂可能箇所のパターンを有し、前記破裂可能箇所の少なくとも一部が前記ブリスター収納区画の前記開口部と重なる位置にあり」に相当する。
　また、刊行物発明の「凹部17に隣接するブリスターパックの下側に力が加えられると、脆弱点23、24のあたりを破断し、錠剤18を放出することができ」「シート材22に接触する接着剤20によってトレイ21に接着され」「単一の薬剤保持層22が使用され」は、本願発明の「該重なる位置で前記ブリスターシートを破裂させることにより前記位置から前記消費性製品を取り出すことができ」「前記ブリスター収納区画は、前記消費性製品に前記ブリスターシートを破裂させ、通過させる動きを引き起こすように、圧縮可能、かつ変形可能で」「前記平面を覆うとともに、前記ブリスター収納区画の開口部に隣接して該開口部を閉じる単層の」「フィルムで形成され」に相当する。
　さらに、刊行物発明の「脆弱点が、薬剤保持シート13の厚さ方向に延びるとともに、薬剤保持シート13を部分的に抉り、形成され」は、本願発明の「前記破裂可能箇所は、前記平面を覆う前記ブリスターシートの厚さ方向に延びるとともに、前記ブリスターシートを部分的に抉り」「形成され」に相当する。
　また、本願発明の「パターン」とは、本願明細書の段落００１９の記載、及び、段落００２７、図７、８に記載の実施例からみて、少なくともミシン目からなる縦断線を複数平行に配置したものを含むことより、刊行物発明の脆弱点の複数の平行線が定義する、２本以上の「脆弱線」は、本願発明の、複数の平行な線に沿って形成される、破裂可能箇所を構成する「パターン」に相当する。
　刊行物発明の「脆弱線は、各薬剤保持キャビティが２本以上の脆弱線によって覆われるように間隔を空けて配置され、脆弱点の分布は均一で規則的であってもよい」は、本願発明の「該複数の平行な線が前記ブリスター収納区画内を通過するように規則的に設けられている」に相当する。
　以上によると、両者は、
「消費性製品用ブリスター包装体であって、共通の平面に間をあけて配置されるとともに開口している開口部を有する複数のブリスター収納区画を有するブリスタートレイと、
　前記ブリスター収納区画のそれぞれに、それぞれ収納される複数の消費性製品と、
　前記ブリスタートレイの前記平面を覆い、前記ブリスター収納区画の前記開口部を閉じるブリスターシートであって、破裂可能箇所のパターンを有し、前記破裂可能箇所の少なくとも一部が前記ブリスター収納区画の前記開口部と重なる位置にあり、該重なる位置で前記ブリスターシートを破裂させることにより前記位置から前記消費性製品を取り出すことができるブリスターシートと、を備え、
　前記ブリスター収納区画は、前記消費性製品に前記ブリスターシートを破裂させ、通過させる動きを引き起こすように、圧縮可能、かつ変形可能であり、　
　前記ブリスターシートは、前記平面を覆うとともに、前記ブリスター収納区画の開口部に隣接して該開口部を閉じる単層のフィルムで形成され、
　前記破裂可能箇所は、前記平面を覆う前記ブリスターシートの厚さ方向に延びるとともに、前記ブリスターシートを部分的に抉り、形成され、
　前記破裂可能箇所は、複数の平行な線に沿って形成されるパターンにより構成されるとともに、該複数の平行な線が前記ブリスター収納区画内を通過するように規則的に設けられている消費性製品用ブリスター包装体。」
である点で一致し、次の点で相違する。
　
［相違点１］本願発明では、ブリスターシートが「弾性の」ものであって、「プラスチック」フィルムで形成されているのに対し、刊行物発明では、薬剤保持シート13に「単一の薬剤保持層22が使用され」「シート材22に接触する接着剤20によってトレイ21に接着され」るものであり、薬剤保持シート13の具体的な材質については特定されていない点。
［相違点２］本願発明では、破裂可能箇所が「ブリスターシートを部分的に抉り、複数の抉られた部分が互いに間隔を空けて連続的に配列されること」で形成されるのに対し、刊行物発明では、脆弱点が、「ブリスターシートを部分的に抉り」形成されるものの、当該「複数の抉られた部分が互いに間隔を空けて連続的に配列されること」で形成されるか、明らかでない点。
　
４．相違点の検討
　上記相違点について検討する。
［相違点１について］
　まず、本願発明が、ブリスターシートの形成に「単層の」プラスチックフィルムを用いる点について検討する。
　これについて本願明細書には、
「【００１６】
　プラスチックブリスターフィルムは、ポリエステル又はポリエチレンのような多種多様な材料から形成できるように意図されている。ブリスターフィルムは、多様な材料の単層または複合層であってよい。」
と記載されるのみである。
　そこで、当審において平成２６年８月２７日付けで拒絶理由を通知して、ブリスターシートが単層のプラスチックフィルムで形成されることの技術的意義を問うたところ、請求人は平成２６年１１月２０日付け意見書において「ブリスターシートが単層のプラスチックフィルムで形成されることで、製造が容易になることのほか、複数の平行な線が前記ブリスター収納区画内を通過するように規則的に設けられているため、指でブリスター収納区画の平面を押圧すると、複数の破裂可能箇所を押圧することができ、製品を取り出すための破裂した箇所を形成しやすい」（４．理由（２）について４−１）
と主張している。
　しかしながら、製造を容易とすることは製造業における一般的な技術命題に過ぎず、「ブリスターシートが単層のプラスチックフィルムで形成されること」と「製品を取り出すための破裂した箇所」が形成し易くなることとに因果関係があるとは、当業者の技術常識をもってしても把握できない。
　してみると、ブリスターシートを「単層」のプラスチックフィルムで構成することに、特段の技術的意義があるものとも解されないものである。
　そして、破裂可能箇所が裂けることにより中身を取り出すことができるようにしたブリスターパッケージに、ブリスターシートとして弾性のプラスチックフィルムを用いることは、例えば、実願昭４９−１１９８１２号（実開昭５１−４７７８０号）のマイクロフィルムにも示されるように周知の技術であり、その採否は、ヒートシール性や、材料コスト等を勘案し、当業者であれば、必要に応じて適宜に決定し得たことである。
　したがって、上記周知技術を適用して相違点１に係る構成とすることは、当業者であれば、容易になし得た事項といえる。
［相違点２について］
　刊行物１には、上記２．（イ）（エ）で摘記したように、
「脆弱線は、脆弱点の複数の平行線によって定義され」
「スリットの線は、・・・図5eに例示されるように、異なる長さのスリットから形成してもよい。」
と記載されており、異なる実施例ではあるが、スリットを互いに間隔を空けて連続的に配列することも示されている。
　また、開封のため、シートを部分的に抉り、複数の抉られた部分を互いに間隔を空けて連続的に配列することも、当業者が通常行う事項である。（例えば特開平７−１４９３６７号公報の段落００２９、及び、図４を参照。）
このように、パッケージの開封のパターンには種々のパターンが想定され、当業者であれば、適宜選択可能である。　
　したがって、刊行物発明において、シートを部分的に抉り、複数の抉られた部分を互いに間隔を空けて連続的に配列することで、破裂可能箇所を形成することは、当業者であれば、容易になし得た事項といえる。
　しかも、本願発明が奏する効果も、刊行物発明、及び、上記周知技術から当業者が予測できたものであり、格別なものとはいえない。
　
　なお、審判請求人は、平成２６年１１月２０日付け意見書において、
「刊行物１には、薬剤シート１３の表面を抉るスリットを横に平行に（図５ａ参照）、対角線に沿って（図５ｂ参照）、格子状に（図５ｃ参照）形成される点が開示されています。また、製品を収納するキャビティ（本願のブリスター収納区画に対応）の上に、二以上（ｍｏｒｅ　ｔｈａｎ　ｏｎｅ）の脆弱部（本願の破裂可能箇所に対応）の線が重なっていてもよいことも記載されています（８頁１８〜１９行参照）。しかしながら、刊行物１では、キャビティに対応するブリスター収納区画と、破裂可能箇所の配置の関係性について、それ以上は検討されていません。
　本願請求項１で規定するように、「複数の平行な線」が「前記ブリスター収納区画内を通過するように規則的に」設けられているという構成については、刊行物１には、開示されておらず、示唆もされていません」（５−２）
と主張している。
　しかしながら、第４　２．（オ）で摘記したように、刊行物１には、脆弱点の分布は均一で規則的であってもよく、脆弱線は、各薬剤保持キャビティが２本以上の脆弱線によって覆われるように間隔を空けて配置されることが記載されているから、「複数の平行な線」が「前記ブリスター収納区画内を通過するように規則的に」設けられる構成が、開示されているといえる。
　また、審判請求人は、
「刊行物１の発明は、『子供が、ブリスター包装体から薬剤を取り出すことを困難にさせる一方、高齢者や体の弱い人にとって、困難になりすぎないようにすることのできるブリスター包装体用のラベル』に関するものです。すなわち、一定の範囲で薬剤を取り出すことを困難にすることを主な目的とするものであり、本願のように、プラスチックシートにおける破裂可能箇所の破裂を容易にすることで、製品の取り出しを容易にする発明とは正反対の課題を有しています。
　したがって、刊行物１の発明において、キャビティの範囲内で、複数の平行な線を通過するように規則的に配置すると、子供でも薬剤を容易に取り出せることとなるため、刊行物１の発明の課題を解決することができません。」（５−２）
とも主張している。
　しかしながら、ブリスター包装体から薬剤を取り出す態様としては様々な場面が想定され、複数の平行な線を通過するように規則的に配置したからといって、子供にとって開封するのが容易になるとも限らないから、子供が取り出すことを困難にするものであるからといって、刊行物発明が、キャビティの範囲内で複数の平行な線を規則的に配置するものでないともいえない。
　刊行物発明における破裂可能箇所も、例えば高齢者等にとっては困難なく取り出せることが求められる以上、ある程度容易に破裂可能であることが明らかである。
　
５．小括
　したがって、本願発明は、刊行物発明、及び、上記周知技術に基いて、当業者が容易に発明をすることができたものであるから、特許法第２９条第２項の規定により特許を受けることができないものである。
第３．むすび
　以上のとおり、本願発明は特許法第２９条第２項の規定により特許を受けることができないから、他の請求項に係る発明について検討するまでもなく、本件出願は拒絶されるべきものである。
　よって、結論のとおり審決する。